(57)【特許請求の範囲】
【請求項１】
オージオメータ用受話器とオージオメータ本体を備えたオージオメータにおいて、前記オージオメータ用受話器には、オージオメータ用受話器の識別情報と校正情報を記憶したシリアルロムを設け、前記オージオメータ本体には、オージオメータ用受話器の誤接続を検知する誤接続検知手段と、オージオメータ用受話器の校正期限を判定する校正期限判定手段と、前記シリアルロムに記憶された情報に基づいて音圧の補正量を算出する補正量算出手段を設けたことを特徴とするオージオメータ。
【発明の詳細な説明】
【技術分野】
【０００１】
本発明は、聴力検査に用いられるオージオメータ用受話器及びオージオメータに関する。
【背景技術】
【０００２】
オージオメータ用受話器には、特性のバラツキが存在するため、オージオメータに接続して使用する際には、校正をしなければならない。
従来の校正方法としては、オージオメータとオージオメータ用受話器を交換不可の一対一のペアとして製造番号を管理し、このペアにおける校正情報をオージオメータに設けたメモリに記憶させておく方法が知られている。オージオメータは、メモリに記憶された校正情報に基づいた駆動電圧を出力することにより、オージオメータ用受話器から校正された音圧を出力する。
【０００３】
従って、オージオメータ用受話器が故障して、代用品または新品に交換する場合には、代用品または新品のオージオメータ用受話器をオージオメータ本体に接続し、オージオメータ本体を校正する。校正作業は、有資格者がオージオメータを設置している検査室などに校正用冶具を持ち込んで行うか、またはオージオメータをメーカの工場に搬入して行うようにしている。
【発明の開示】
【発明が解決しようとする課題】
【０００４】
しかし、医療現場で校正作業を行うことは、時間や場所の確保が困難であるため、病院やメーカにとって負担となる。また、メーカの工場にオージオメータを引き上げて校正作業を行う場合には、その間検査ができないので、患者が検査日を変更したり、または病院が代用品の不慣れなオージオメータで検査したりするなど、患者や病院の負担となる。
【０００５】
本発明は、従来の技術が有するこのような問題点に鑑みてなされたものであり、その目的とするところは、オージオメータ用受話器をオージオメータ本体に接続するだけで校正された音圧を出力するオージオメータ用受話器及びそれを用いたオージオメータを提供しようとするものである。
【課題を解決するための手段】
【０００９】
上記課題を解決すべく請求項１に係る発明は、オージオメータ用受話器とオージオメータ本体を備えたオージオメータにおいて、前記オージオメータ用受話器には、オージオメータ用受話器の識別情報と校正情報を記憶したシリアルロムを設け、前記オージオメータ本体には、オージオメータ用受話器の誤接続を検知する誤接続検知手段と、オージオメータ用受話器の校正期限を判定する校正期限判定手段と、前記シリアルロムに記憶された情報に基づいて音圧の補正量を算出する補正量算出手段を設けたものである。
【発明の効果】
【００１３】
請求項１に係る発明によれば、校正情報を記憶しているシリアルロムを備えたオージオメータ用受話器を用いるので、オージオメータ本体に接続するだけで校正された音圧を出力するため、オージオメータ用受話器の校正作業を不要とし、操作性が向上する。また、シリアルロムと誤接続検知手段と校正期限判定手段と補正量算出手段が相俟って、円滑にオージオメータ用受話器から校正音圧が出力される。
【発明を実施するための最良の形態】
【００１４】
以下に本発明の実施の形態を添付図面に基づいて説明する。ここで、図１は本発明に係るオージオメータの概要斜視図、図２は本発明に係るオージオメータ用受話器のコネクタの構成図、図３はオージオメータのブロック構成図である。
【００１５】
本発明に係るオージオメータは、図１に示すように、オージオメータ本体１、気導受話器２、骨導受話器３、マスキング受話器４、応答スイッチ５からなる。各受話器２，３，４は、ヘッドバンド６に取り付けられており、検査時に被検者が装着する。
【００１６】
気導受話器２は、図１及び図２に示すように、右受話器１０と、左受話器１１と、オージオメータ本体１に接続するためのコネクタ１２と、右受話器１０と左受話器１１を夫々コネクタ１２と接続する２本の同軸ケーブル１３で構成される。更に、コネクタ１２の内部には、シリアルロム１４を実装したプリント基板１５が設置されている。コネクタ１２内の配線は、同軸ケーブル１３の芯線１３ａとシールド線１３ｂが各々端子ピン１６ａ，１６ｂ，１６ｃ，１６ｄに接続される。シリアルロム１４は、信号端子１５ａとグランド端子１５ｂが各々端子ピン１６ｅ，１６ｆに接続される。信号端子１５ａをコネクタ１２内に設置可能なアンテナに接続し、シリアルロム１４はオージオメータ本体１と無線で通信してもよい。
【００１７】
シリアルロム１４に記憶されているデータは、例えばＴＥＤＳ（Transducer Electronic Data Sheet）構造で構成される。最初の６４ビットに基本ＴＥＤＳを記録し、２５６ビット以降に最終校正日・校正情報を記録する。オージオメータは、一般に１１種類の周波数分のデータがあれば十分であるので、１ｋビット程度の容量のシリアルロムでよい。
【００１８】
また、図２に示すように、骨導受話器３も、受話器３０と、オージオメータ本体１に接続するためのコネクタ１７と、受話器３０をコネクタ１７と接続する１本の同軸ケーブル１３で構成され、マスキング受話器４も、受話器３１と、オージオメータ本体１に接続するためのコネクタ１８と、受話器３１をコネクタ１８と接続する１本の同軸ケーブル１３で構成されている。骨導受話器３のコネクタ１７内部におけるシリアルロム１９の実装状態や配線状況、マスキング受話器４のコネクタ１８内部におけるシリアルロム２０の実装状態や配線状況などは気導受話器２と同様の構成である。
【００１９】
オージオメータ本体１は、図１及び図３に示すように、検査者が検査音やマスキング音の音圧を増減するなどの操作をする操作部２１、検査の状況や結果などを表示する表示部２２、全体の動作を制御する制御部２３、信号を生成する発信部２４、信号を増幅する増幅部２５、発信部２４で生成した信号を所定量だけ減衰する減衰部２６、メインチャンネル２７とサブチャンネル２８の出力を切り換える出力切換部２９から構成される。
【００２０】
気導受話器２の右受話器１０と左受話器１１、骨導受話器３の受話器３０、マスキング受話器４の受話器３１は、夫々コネクタ１２，１７，１８を介して出力切換部２９に接続される。各受話器２，３，４のシリアルロム１４，１９，２０は、制御部２３に接続される。被検者が、検査音を聴取できた時に操作する応答スイッチ５も、制御部２３に接続される。
【００２１】
制御部２３内には、制御手段４０、不揮発性メモリ４１、補正量算出手段４２、誤接続検知手段４３、校正期限判定手段４４が設けられている。制御手段４０は、不揮発性メモリ４１とのデータの授受、補正量算出手段４２へのデータ受け渡しと算出結果の受け取り、誤接続検知手段４３へのデータ受け渡しと検知結果の受け取り、校正期限判定手段４４へのデータ受け渡しと判定結果の受け取りなどを司る。不揮発性メモリ４１には、シリアルロム１４，１９，２０に記憶されている最終校正日や校正情報などのデータのコピーと、操作部２１のアッテネータ操作ダイアル指示値の減衰量の関係を定めたテーブルが記憶されている。
【００２２】
以上のように構成した本発明に係るオージオメータ用受話器及びオージオメータの動作について説明する。先ず、各受話器２，３，４は、オージオメータ本体１に接続され、オージオメータ本体１の校正がなされる。そして、気導受話器２のコネクタ１２に設けられているシリアルロム１４には、次に示す表１のデータが記憶され、また骨導受話器３のコネクタ１７に設けられているシリアルロム１９には、次に示す表２のデータが記憶され、更にマスキング受話器４のコネクタ１８に設けられているシリアルロム２０には、次に示す表３のデータが記憶される。表１〜表３のデータは、コード化されて記憶される。
【００２３】
【表１】
0004764768.tif 000002
【００２４】
【表２】
0004764768.tif 000003
【００２５】
【表３】
0004764768.tif 000004
【００２６】
例えば、新品の気導受話器２をオージオメータ本体１に接続した後に、オージオメータ本体１の電源スイッチをオン状態にすると、シリアルロム１４に記憶されているデータ（表１）が制御部２３に読み込まれる。
制御部２３では、先ず受話器名称から気導受話器２のコネクタ（プラグ）１２が、オージオメータ本体１の正しいコネクタ（レセプタクル）に接続されているかどうかを誤接続検知手段４３により確認する。気導受話器２のコネクタ（プラグ）１２が接続するコネクタ（レセプタクル）を間違えている場合には、表示部２２にエラーメッセージを表示する。
【００２７】
次いで、シリアルロム１４に記憶されているデータと、不揮発性メモリ４１に記憶されているデータを比較して、製造番号と校正年月日から前回使った気導受話器と同じものかを確認する。製造番号または校正年月日が異なる場合には、不揮発性メモリ４１に記憶されているデータを新たなデータ（各周波数の補正値など）に書き換える。また、校正期限判定手段４４が、不揮発性メモリ４１に記憶されている校正年月日から１年経過していると判定した場合には、表示部２２に警告メッセージを表示する。骨導受話器３及びマスキング受話器４についても、同様の動作をする。そして、補正量算出手段４２で補正量を算出し、不揮発性メモリ４１内のテーブルの減衰量に補正量を再作成する。そして、補正量算出手段４２で補正量を算出し、この補正量を基に不揮発性メモリ４１内のテーブルを再作成する。
【００２８】
オージオメータ本体１への受話器２，３，４の設定が終了したら、被検者に各受話器２，３，４を装着させ検査を開始する。検査者は操作部２１を操作し、受話器２，３，４から出力される音の周波数と音圧を変化させる。被検者は、音が聴こえた時に応答スイッチ５を押す。応答スイッチ５の状態は、表示部２２に表示され、検査者は被検者の応答の仕方を確認しながら周波数と音圧を変化させ、被検者の聴力閾値を測定する。
【００２９】
例えば、操作部２１で気導受話器２の右受話器１０から１ｋＨｚで６０ｄＢの音を出力するように設定する場合、減衰部２６の設定が０ｄＢの時に１ｋＨｚで減衰部２６の出力が１３０ｄＢであるとすると、制御部２３は不揮発性メモリ４１内のテーブルを参照し、減衰部２６の設定を−７０ｄＢにして減衰部２６の出力が６０ｄＢになるようにすればよい。ところが、右受話器１０のテーブルが補正されていないと周波数特性が考慮されてないので、右受話器１０から１ｋＨｚで６０ｄＢの音が出力されているかどうか分からない。
【００３０】
そこで、補正量算出手段４２が、不揮発性メモリ４１に記憶されている右受話器１０のコード化されていた補正値から、操作部２１のアッテネータ操作ダイアルの指示値に対応する校正された音圧を出力するためのテーブルを算出し、不揮発性メモリ４１に記憶されているテーブルは書き換えられる。右受話器１０の１ｋＨｚの補正値は、表１から−０．５ｄＢであるから、補正量算出手段４２はテーブルの設定を−７０．５ｄＢと算出する。制御部２３がテーブルを参照して減衰部２６の減衰値を−７０．５ｄＢに設定すると、右受話器１０から出力される１ｋＨｚで６０ｄＢの音は校正されたものとなる。
【００３１】
同様に、減衰部２６の設定が０ｄＢの時に２ｋＨｚで減衰部２６の出力が１３０ｄＢであるとすると、右受話器１０から２ｋＨｚで６０ｄＢの音を出力するようにするには、減衰部２６の設定を−７０．５ｄＢとすればよい。左受話器１１、骨導受話器３の受話器３０、マスキング受話器４の受話器３１についても、同様に減衰部２６の減衰量を設定すればよい。
【産業上の利用可能性】
【００３２】
本発明によれば、校正情報を記憶しているシリアルロムを備えたオージオメータ用受話器を用いることにより、オージオメータ用受話器をオージオメータ本体に接続するだけで校正された音圧を出力することができるので、オージオメータ用受話器の校正作業を不要とし、操作性を向上させたオージオメータを提供することができる。
【図面の簡単な説明】
【００３３】
【図１】本発明に係るオージオメータの概要斜視図
【図２】本発明に係るオージオメータ用受話器のコネクタの構成図
【図３】オージオメータのブロック構成図
【符号の説明】
【００３４】
１…オージオメータ本体、２…気導受話器、３…骨導受話器、４…マスキング受話器、５…応答スイッチ、１０…右受話器、１１…左受話器、１２，１７，１８…コネクタ、１４，１９，２０…シリアルロム、２１…操作部、２２…表示部、２３…制御部、２４…発信部、２５…増幅部、２６…減衰部、２９…出力切換部、４０…制御手段、４１…不揮発性メモリ、４２…補正量算出手段、４３…誤接続検知手段、４４…校正期限判定手段。
【図１】
0004764768.tif 000005
【図２】
0004764768.tif 000006
【図３】
0004764768.tif 000007